(57)【特許請求の範囲】
【請求項１】
洗い場となる床パンと浴槽とが設置面上に並設され、洗い場側と浴槽側とが床パン及び浴槽の洗い場側上端部にて支持されたエプロンによって水密に仕切られている浴室ユニットであって、
前記浴槽は、浴槽本体の周囲に鍔状に張り出すフランジ本体と、該フランジ本体周縁から下方に垂れ下がるスカート部と、前記フランジ本体下面から垂れ下がり、前記スカート部と対面するリブとを有するフランジを備え、
前記エプロンは、
エプロン本体と、
該エプロン本体上端面の洗い場側表面より段状に浴槽側に入り込んだ位置から立ち上がり、少なくとも前記スカート部との間に弾性止水材を介在した状態で前記スカート部と前記リブとの間に嵌り込むフランジ係止部と
を備え、
前記エプロンは、前記エプロン本体下端を前記床パンの固定部に固定した状態で、前記フランジに入浴者による荷重がかかったときの前記フランジの下方への予想撓み長さと略同じか少し幅の広い隙間が、前記エプロン本体上端面と前記スカート部下端との間及び前記フランジ本体下面と前記フランジ係止部上端面との間にできる寸法に形成され、
前記フランジ係止部は、浴槽側の面に前記リブに当接する複数の突起が前記エプロンの幅方向に間欠的に設けられていることを特徴とする浴室ユニット。
【請求項２】
洗い場となる床パンと浴槽とが設置面上に並設され、洗い場側と浴槽側とが床パン及び浴槽の洗い場側上端部にて支持されたエプロンによって水密に仕切られている浴室ユニットであって、
前記浴槽は、浴槽本体の周囲に鍔状に張り出すフランジ本体と、該フランジ本体周縁から下方に垂れ下がるスカート部と、前記フランジ本体下面から垂れ下がり、前記スカート部と対面するリブとを有するフランジを備え、
前記エプロンは、
エプロン本体と、
該エプロン本体上端面の洗い場側表面より段状に浴槽側に入り込んだ位置から立ち上がり、少なくとも前記スカート部との間に弾性止水材を介在した状態で前記スカート部と前記リブとの間に嵌り込むフランジ係止部と
を備え、
前記エプロンは、前記エプロン本体下端を前記床パンの固定部に固定した状態で、前記フランジに入浴者による荷重がかかったときの前記フランジの下方への予想撓み長さと略同じか少し幅の広い隙間が、前記エプロン本体上端面と前記スカート部下端との間及び前記フランジ本体下面と前記フランジ係止部上端面との間にできる寸法に形成され、
前記エプロンは、該エプロンの幅方向にそれの重畳部が重なり合って隣接する複数の分割体からなって、一の分割体の重畳部に係合突部が設けられるとともに、隣接する他の分割体の重畳部に係合凹部が設けられ、
前記係合突部は、前記一の分割体が上下方向にスライドされながら前記他の分割体の重畳部に重畳したときに、前記係合凹部に係合するとともに、重畳部同士を弾性止水材を介在した状態で圧接状態とするようにしてあることを特徴とする浴室ユニット。
【請求項３】
前記床パンから立ち上がる支持部の上端で前記浴槽のフランジを支えるようにしてあることを特徴とする請求項１又は２に記載の浴室ユニット。
【発明の詳細な説明】
【技術分野】
【０００１】
本発明は、洗い場となる床パンと浴槽とが設置面上に並設され、洗い場側と浴槽側とが床パン及び浴槽の洗い場側の上端部にて支持されたエプロンによって水密に仕切られている浴室ユニットに関する。
【背景技術】
【０００２】
従来、浴槽、床パン、壁パネル及び天井パネルなどを工場にて予め成型しておき、成型した各部品を現場に搬入してから組み立てる浴室ユニットがある。
【０００３】
浴室ユニットは、予め成型された、床パンと、浴槽と、壁パネルと、壁パネルの一部に設けられた出入口と、壁パネルの上周縁がなす開口を塞ぐ天井パネルとを有するものであり、これらを現場で組み立てるものであるから、現場でタイルを一枚一枚貼って仕上げていく在来浴室に比べて組み立てが簡単であり、工期を短縮することができ、また、一体成型などで部品点数を少なくして費用を抑えることができる。
【０００４】
また、浴室ユニットは、設置面上に支持された床パンに浴槽を載せるフルパネルタイプと、浴槽と床パンとを設置面上に並べて設置するハーフパネルタイプとに大別され、特に、ハーフパネルタイプの浴室ユニットは、フルパネルタイプのものより部品点数を更に抑えることができるため、ホテル、マンション及び一般住宅などで広く採用されている。
【０００５】
ところで、ハーフパネルタイプの浴室ユニットは、フルパネルタイプの浴室ユニットと異なり、浴槽の床パン側を覆い隠すためのエプロンを備え、浴槽と床パンとを連結する構造となっている。具体的には、エプロンは、上端が浴槽のフランジの下面に取り付くことにより、浴槽のフランジを支える構造となっている（例えば、特許文献１及び特許文献２）。
【０００６】
【特許文献１】特開２００８−１０１４２４号公報
【特許文献２】特開２００７−３１２８６４号公報
【発明の概要】
【発明が解決しようとする課題】
【０００７】
しかしながら、特許文献１及び特許文献２に記載のエプロン取付構造は、エプロンが浴槽のフランジを支える構造となっているため、入浴者の体重などによって浴槽のフランジが撓んだ場合、撓んだフランジがエプロンに荷重をかけ、エプロンを破損させてしまうおそれがある。
【０００８】
特に、特許文献２に記載のエプロン取付構造は、湯水が侵入しないように浴槽のフランジとエプロンの上端との隙間に止水剤を充填しているため、荷重がエプロンに伝わりやすくなっている。従って、従来は、荷重がかかっても破損しにくいように、繊維強化プラスチック等の強度的に優れた高価な材料によってエプロンを成形しなければならず、浴室ユニットの製造費用を高騰させる原因となっている。
【０００９】
本発明はかかる事情を鑑みてなされたものであり、エプロンの取付構造を工夫することにより、湯水が侵入しないように水密状態としながら、撓んだフランジによる荷重がエプロンに伝わらないようにでき、併せて製造費用の高騰を抑えることができる浴室ユニットを提供することを目的とする。
【課題を解決するための手段】
【００１０】
本発明に係る浴室ユニットは、洗場となる床パンと浴槽とが設置面上に並設され、洗場側と浴槽側とが床パン及び浴槽の洗場側上端部にて支持されたエプロンによって水密に仕切られている浴室ユニットであって、前記浴槽は、浴槽本体の周囲に鍔状に張り出すフランジ本体と、該フランジ本体周縁から下方に垂れ下がるスカート部と、前記フランジ本体下面から垂れ下がり、前記スカート部と対面するリブとを有するフランジを備え、前記エプロンは、エプロン本体と、該エプロン本体上端面の洗場側表面より段状に浴槽側に入り込んだ位置から立ち上がり、少なくとも前記スカート部との間に弾性止水材を介在した状態で前記スカート部と前記リブとの間に嵌り込むフランジ係止部とを備え、前記エプロンは、前記エプロン本体下端を前記床パンの固定部に固定した状態で、前記フランジに入浴者による荷重がかかったときの前記フランジの下方への予想撓み長さと略同じか少し幅の広い隙間が前記エプロン本体上端面と前記スカート部下端との間及び前記フランジ本体下面と前記フランジ係止部上端面との間にできる寸法に形成されていることを要件とする。
【００１１】
本発明に係る浴室ユニットは、フランジ係止部がスカート部とリブとの間に弾性止水材を介在して嵌り込むことにより、弾性止水材が圧力を受けて、エプロンとフランジとの間を水密状態とする。併せて、エプロン本体上端面とスカート部下端との間、及び、フランジ本体下面とフランジ係止部上端面との間に、フランジの下方への予想撓み長さと略同じか少し幅の広い隙間ができるような寸法でエプロンが形成されることにより、フランジが下方に撓む場合であっても、エプロンに接触することがない。
【００１２】
また、本発明に係る浴室ユニットは、前記フランジ係止部は、浴槽側の面に前記リブに当接する複数の突起がエプロン幅方向に間欠的に設けられていることを要件とする。
本発明に係る浴室ユニットは、フランジ係止部に複数の突起が設けられることにより、弾性止水材に圧力がかかり易くなる。また、複数の突起が間欠的に設けられることにより、リブとの接触面が小さくなり、エプロンのスライド嵌合を円滑にすることができる。
【００１３】
また、本発明に係る浴室ユニットは、前記エプロンは、該エプロンの幅方向にそれの重畳部が重なり合って隣接する複数の分割体からなって、一の分割体の重畳部に係合突部が設けられるともに、隣接する他の分割体の重畳部に係合凹部が設けられ、前記係合突部は、前記一の分割体が上下方向にスライドされながら前記他の分割体の重畳部に重畳したときに、前記係合凹部に係合するとともに、重畳部同士を弾性止水材を介在した状態で圧接状態とするようにしてあることを要件とする。
本発明に係る浴室ユニットは、エプロンが複数の分割体で構成されていることにより、分割体を個別に着脱することができる。また、分割体相互の重畳面にて係止突部が係止受部に係合して圧接状態となることにより、介在する止水部材が圧力を受けて、分割体相互を水密状態とする。
【００１４】
また、本発明に係る浴室ユニットは、前記床パンから立ち上がる支持部の上端で前記浴槽のフランジを支えるようにしてある構成とすることが好ましい。
本発明に係る浴室ユニットは、床パンから立ち上がる支持部が浴槽のフランジを支えることにより、フランジの下方への撓みを抑えてエプロンへの接触を防止する。
【発明の効果】
【００１５】
本発明に係る浴室ユニットは、ハーフパネルタイプの浴室ユニットにおけるエプロンの取付において、止水部材でエプロンと浴槽のフランジとの間を水密状態として湯水の侵入を防ぐことができる。併せて、下方に撓むフランジをエプロン本体上端面などに接触させないようにでき、エプロンを破損させないようにできる。
【図面の簡単な説明】
【００１６】
【図１】本発明に係る浴室ユニットの１つの実施の形態を示す要部分割斜視図である。
【図２】図１に示す浴室ユニットが有する床パンと浴槽との分解斜視図である。
【図３】図１に示す浴室ユニットの、第３エプロン分割体の取り付け前の状態を示す正面図である。
【図４】図１に示す浴室ユニットが有する第１エプロン分割体を床パン側から見た斜視図である。
【図５】図４に示す第１エプロン分割体を浴槽側から見た斜視図である。
【図６】図４に示す第１エプロン分割体の断面図である。
【図７】図１に示す浴室ユニットが有する第３エプロン分割体を床パン側から見た斜視図である。
【図８】図７に示す第３エプロン分割体を浴槽側から見た斜視図である。
【図９】図７に示す第３エプロン分割体の断面図である。
【図１０】図１に示す浴室ユニットが有する支柱の固定構造を説明する断面図であって、同図（ａ）は支柱の上端側の固定状態を示し、同図（ｂ）は支柱の下端側の固定状態を示す。
【図１１】図１に示す浴室ユニットが有する第１（第２）エプロン分割体及び第３エプロン分割体の上端側の固定状態を示す端面図である。
【図１２】図１に示す浴室ユニットが有する第１（第２）エプロン分割体及び第３エプロン分割体の下端側の固定状態を示す端面図である。
【図１３】図１に示す浴室ユニットが有する壁パネルの取付構造を説明する要部斜視図である。
【図１４】図１に示す浴室ユニットが有する第１（第２）エプロン分割体及び第３エプロン分割体の重畳部の取付構造を示す図であって、同図（ａ）は縦断面図を示し、同図（ｂ）はＸ−Ｘ線断面図を示す。
【図１５】図１４（ａ）に示す取付構造のＹ−Ｙ線断面図である。
【発明を実施するための形態】
【００１７】
本発明に係る浴室ユニットを本実施の形態を示す図面に基づいて以下説明する。図１は本発明に係る浴室ユニットの１つの実施の形態を示す要部分解斜視図、図２は図１に示す浴室ユニットが有する床パンと浴槽との分解斜視図、図３は図１に示す浴室ユニットの、第３エプロン分割体の取り付け前の状態を示す正面図である。なお、本実施の形態において、正面方向は洗い場から浴槽に向かう方向であり、側面方向は正面方向に直交する方向を指す。
【００１８】
図１乃至図３に示すとおり、浴槽ユニットは、床パン１と、浴槽２と、支柱３と、エプロン４と、壁パネル８と、天井パネル（図示せず、以下同じ）とを有する。
【００１９】
床パン１及び浴槽２は、平行に設置されており、それぞれ周縁に沿って壁パネル８あるいはドア枠（図示せず）が上方に立ち上がるように設置され、壁パネル８及びドア枠に天井パネルが取り付けられている。また、床パン１及び浴槽２は、支柱３により連結されており、浴槽２の浴槽本体２９及び支柱３を覆い隠すように、エプロン４が取り付けられる。エプロン４は、一枚板でなく、第１エプロン分割体４０ａ、第２エプロン分割体４０ｂ及び第３エプロン分割体４１という、複数の分割体により構成されている。
【００２０】
詳述すると、床パン１は、支持脚１１と、起立片１２と、堰部１４と、排水口１７とを有する。
【００２１】
床パン１は、平面視略長方形をなし、裏面１０の４隅付近に支持脚１１が取り付けられている。支持脚１１は、下端が設置面上の架台（図示せず、以下同じ）に載せられて固定されている。支持脚１１は、上下に伸縮可能であり、設置面からの高さを調整することができる。
【００２２】
堰部１４は、床パン１の１辺に設けられ、図２に示すとおり、幅方向両側に後述する支柱３を固定するための固定凹部が設けられているとともに、２つの固定凹部の間に後述する固定ピース７を嵌め込むための嵌合凹部が間欠的に複数設けられている。固定凹部は、浴槽２側の立ち上がり面に支柱３を固定するための螺子５をねじ込む螺子孔１６が穿設されている。また、嵌合凹部に嵌め込む固定ピース７は、図１２に示すとおり、引っ掛け片７０と、ナット７２とを有する。また、起立片１２は、床パン１の堰部１４が設けられている辺以外の３辺から立ち上がっている。
【００２３】
排水口１７は、床パン１の表面１３の一部に設けられている。床パン１の表面１３は、３辺から排水口１７に向かって緩やかな下り勾配をなし、表面１３に流れ落ちた湯水を排水口１７に案内する。排水口１７は、排水管（図示せず、以下同じ）と接続してあり、排水口１７に案内された湯水は、排水管を通って下水道に流れる。
【００２４】
また、浴槽２は、浴槽本体２９と、フランジ２４と、支持脚２２と、壁パネル受け用立上壁２４０とを有する。
【００２５】
浴槽本体２９は、底部２０が平面視略長方形をなし、底部２０から周壁２３がテーパー状に立ち上がるように形成されている。
【００２６】
フランジ２４は、フランジ本体と、スカート部２５と、リブ２７とを有する。フランジ本体は、浴槽本体２９の上端縁から外側に鍔状に張り出すように設けられている。スカート部２５は、フランジ本体の外周縁から下方に垂れ下がるように設けられている。リブ２７は、浴槽本体２９とスカート部２５との間にあり、スカート部２５と対面し、フランジ本体の下方に垂れ下がるように設けられている。また、リブ２７は、堰部１４の固定凹部に対応する位置に他の部分より下方に垂れ下がる支柱固定部を有し、支柱固定部に螺子通孔２８が穿設されている。
【００２７】
支持脚２２は、浴槽本体２９の底部２０を下方から支えるように設けられている。壁パネル受け用立上壁２４０は、フランジ２４の床パン１との対面側を除く、３辺に沿ってフランジ本体の外周縁から上方に立ち上がるように設けられている。
【００２８】
エプロン４は、上述するとおり、第１エプロン分割体４０ａ、第２エプロン分割体４０ｂ及び第３エプロン分割体４１の分割体により構成されている。
【００２９】
図４は図１に示す浴室ユニットが有する第１エプロン分割体４０ａを床パン１側から見た斜視図、図５は図４に示す第１エプロン分割体４０ａを浴槽２側から見た斜視図、図６は図４に示す第１エプロン分割体４０ａの断面図である。第１エプロン分割体４０ａは、図４乃至図６に示すとおり、エプロン本体の一部を構成する分割体本体とフランジ係止部４００とを有する。
【００３０】
分割体本体は、略長方形の板状をなし、横張出片４０１と、フック受け部４０２と、段差面４０３と、下張出片４０４と、側板４０６と、内張出板４０９とを有する。
【００３１】
横張出片４０１は、第３エプロン分割体４１と重なる重畳部となり、床パン１側から見て分割体本体の右側端面であって床パン１側の分割体本体表面よりも浴槽２側に入り込んだ位置から張り出し、床パン１側の分割体本体表面との間に段差面４０３を有する。横張出片４０１は、床パン１側に複数のフック受け部４０２を有する。フック受け部４０２は、横張出片４０１に正面視縦方向に沿って間欠的に設けられており、浴槽２側の一部が切り欠かれている。
【００３２】
下張出片４０４は、分割体本体の下端面であって床パン１側の分割体本体表面よりも浴槽２側に入り込んだ位置から張り出している。下張出片４０４は、床パン１側から浴槽２側に向かって貫通する螺子通孔４０５が正面視幅方向に沿って間欠的に複数設けられている。下張出片４０４は、浴槽２側の面に螺子通孔４０５の周辺を盛り上げた膨出部４０７を有するとともに、膨出部４０７よりも下端寄りに帯状の凹部６０が設けられている。凹部６０には、後述する弾性止水部材６が貼り付けられる。
【００３３】
側板４０６は、床パン１側から見て分割体本体の左側端面から床パン１に向かって張り出している。また、内張出板４０９は、側板４０６と同じく左側端面から浴槽２に向かって張り出している。
【００３４】
フランジ係止部４００は、分割体本体の上端面であって床パン１側の分割体本体表面よりも段状に浴槽２側に入り込んだ位置から立ち上がり、途中で浴槽２側に折れ曲がって側面視略Ｌ字状をなしている。フランジ係止部４００は、折れ曲がった角に帯状の凹部６０を有する。凹部６０には、後述する弾性止水部材６が貼り付けられる。また、フランジ係止部４００は、浴槽２に向かって突出する複数の突起片４０８が間欠的に設けられ、突起片４０８を含む厚みが浴槽２のフランジ２４の下面２６に設けられた溝の幅よりも僅かに狭く、更に弾性止水部材６が貼り付けられたときの厚みが上述する溝の幅よりも広くなるように形成されている。
【００３５】
弾性止水部材６は、例えば、日本発条株式会社製の「スーパーシート」など、復元性（弾性）に優れたシーリング材が用いられる。
【００３６】
なお、第２エプロン分割体４０ｂは、第１エプロン分割体４０ａと左右対称形状をしている以外は上述する第１エプロン分割体４０ａの構成と同じであるから、対応する箇所に同一の符号を付してその説明を省略する。
【００３７】
図７は図１に示す浴室ユニットが有する第３エプロン分割体４１を床パン１側から見た斜視図、図８は図７に示す第３エプロン分割体４１を浴槽２側から見た斜視図、図９は図７に示す第３エプロン分割体４１の断面図である。図７乃至図９に示すとおり、第３エプロン分割体４１は、エプロン本体の残部を構成する分割体本体と、フランジ係止部４１０とを有する。
【００３８】
分割体本体は、略長方形の板状をなし、フック４１１と、側板４１２と、下張出片４１３と、指掛け部４１５、補強用リブ４１７とを有する。第３エプロン分割体４１は、正面視縦方向の寸法が、フランジ２４に入浴者による荷重がかかったときのフランジ２４の下方への予想撓み長さと略同じか少し幅の広い隙間が、分割体本体の上端面とスカート部２５の下端との間及びフランジ本体下面２６とフランジ係止部４１０の上端面との間にできる寸法（図１１参照）となるように形成されている。
【００３９】
側板４１２は、浴槽２側の分割体本体裏面の左右側端部から張り出している。フック４１１は、側板４１２の張り出し箇所よりも僅かに正面視幅方向中央部寄りに、正面視縦方向に沿って間欠的に複数設けられ、上向きに折れ曲がる鉤状をなしている。側板４１２とフック４１１との間には、正面視縦方向に沿って帯状の凹部６０が設けられている。凹部６０には、弾性止水部材６が貼り付けられている。
【００４０】
下張出片４１３は、分割体本体の下端面であって床パン１側の分割体本体表面よりも浴槽２側に入り込んだ位置から張り出している。下張出片４１３は、床パン１側から浴槽２側に向かって貫通する螺子通孔４１４が正面視幅方向に沿って間欠的に複数設けられている。下張出片４１３は、浴槽２側の面に螺子通孔４１４の周辺を盛り上げた膨出部４１６を有するとともに、膨出部４１６よりも下端寄りに帯状の凹部６０が設けられている。凹部６０には、弾性止水部材６が貼り付けられている。
【００４１】
指掛け部４１５は、床パン１側の分割体本体表面の一部に設けられている。また、補強用リブ４１７は、浴槽２側の分割体本体裏面の正面視幅方向中央付近に複数設けられている。
【００４２】
フランジ係止部４１０は、分割体本体の上端面であって床パン１側の分割体本体表面よりも段状に浴槽２側に入り込んだ位置から立ち上がり、途中で浴槽２側に折れ曲がって側面視略Ｌ字状をなしている。フランジ係止部４１０は、折れ曲がった角に帯状の凹部６０を有する。凹部６０には、弾性止水部材６が貼り付けられる。また、フランジ係止部４１０は、浴槽２に向かって突出する複数の突起片４１８が間欠的に設けられ、突起片４１８を含む厚みが浴槽２のフランジ２４の下面２６に設けられた溝の幅よりも僅かに狭く、更に弾性止水材部材６が貼り付けられたときの厚みが上述する溝の幅よりも広くなるように形成されている。
【００４３】
支柱３は、図２に示すとおり、上端部が側面視略Ｌ字板状に浴槽側に向かって折れ曲がるとともに、この上端部に螺子孔３１が穿設されている。また、支柱３は、下端部に螺子通孔３０が穿設されている。支柱３は、浴槽２のフランジ２４にかかる荷重を負担するため、高剛性を有する金属又は繊維強化プラスチックにより形成されている。
【００４４】
このように、浴室ユニットは、複数の部材により構成されている。次に、各部材の取り付けについて説明する。浴室ユニットは、床パン１及び浴槽２が支持脚１１、２２の高さ調整及び配管施工された状態で平行に配置された後、支柱３を上端部の螺子孔３１が螺子通孔２８に一致させるように配置し、螺子通孔２８側から螺子孔３１に螺子５をねじ込み、支柱３の上端部をリブ２７の支柱固定部に固定する。
【００４５】
また、支柱３の下端部を対応する固定凹部に嵌り込むように配置し、床パン１と浴槽２とを連結するようにリブ２７の支柱固定部に支柱３が取り付けられる。そして、支柱３を覆い隠すように第１エプロン分割体４０ａ及び第２エプロン分割体４０ｂがそれぞれ取り付けられ、第１エプロン分割体４０ａ、第２エプロン分割体４０ｂ、床パン１及び浴槽２に壁パネル８が連結される（図１参照）。その後、第３エプロン分割体４１が第１エプロン分割体４０ａと第２エプロン分割体４０ｂとに挟まれた位置に生じた開口を塞ぐように取り付けられる（図３参照）。具体的には以下の通りである。
【００４６】
図１０は図１に示す浴室ユニットが有する支柱３の固定構造を説明する断面図であって、同図（ａ）は支柱３の上端側の固定状態を示し、同図（ｂ）は支柱３の下端側の固定状態を示す。支柱３は、螺子通孔３０を貫通する螺子５が螺子孔１６にねじ込まれることにより、下端部が床パン１の起立片１４に固定される。支柱３は、螺子通孔２８を貫通する螺子５が螺子孔３１にねじ込まれることにより、上端部が浴槽２のリブ２７に固定される。
【００４７】
図１１は図１に示す浴室ユニットが有する第１（第２）エプロン分割体４０ａ（４０ｂ）及び第３エプロン分割体４１の上端側の固定状態を示す端面図、図１２は図１に示す浴室ユニットが有する第１（第２）エプロン分割体４０ａ（４０ｂ）及び第３エプロン分割体４１の下端側の固定状態を示す端面図、図１３は図１に示す浴室ユニットが有する壁パネル８の取付構造を説明する要部斜視図である。
【００４８】
図１１に示すとおり、第１（第２）エプロン分割体４０ａ（４０ｂ）は、上端を浴槽２側に僅かに傾けた状態で下から上に平行移動させることにより、浴槽２のフランジ２４の下面２６に形成された溝にフランジ係止部４００が嵌り込む。このとき、フランジ係止部４００の弾性止水部材６は、対向するスカート部２５からの圧力によって復元力を生じさせ、スカート部２５との間を水密状態とする。
【００４９】
図１２に示すとおり、第１（第２）エプロン分割体４０ａ（４０ｂ）は、フランジ係止部４００がフランジ２４の下面２６に形成された溝に嵌め込まれた状態のまま、下端部が床パン１の堰部１４に螺子止めされることにより、取付固定される。具体的には、第１（第２）エプロン分割体４０ａ（４０ｂ）の下張出片４０４の膨出部４０７が床パン１の堰部１４に設けられた固定ピース７に当接し、この状態で螺子５をパッキン７１を介在させて下張出片４０４の螺子通孔４０５及び固定ピース７の螺子通孔１５を貫通させ、固定ピース７内のナット７２にねじ込む。このとき、下張出片４０４の弾性止水部材６は、対向する床パン１の堰部１４からの圧力によって復元力を生じさせ、堰部１４との間を水密状態とする。
【００５０】
また、取付固定された第１（第２）エプロン分割体４０ａ（４０ｂ）は、上述する寸法で形成されているので、図１１に示すとおり、弾性止水部材６を含むフランジ係止部４００の上端面と浴槽２のフランジ２４の下面２６との間、及び、分割体本体の上端面と浴槽２のスカート部２５の下端との間にそれぞれ隙間を形成する。ここで分割体本体の上端面と浴槽２のスカート部２５の下端との間の隙間（以下隙間ｄという）は、浴槽２のフランジ２４の下方への予想撓み長さと同じか少し幅広となる。また、フランジ係止部４００の上端面と浴槽２のフランジ２４の下面２６との隙間は、隙間ｄよりも幅広となる。
【００５１】
また、取付固定された第１（第２）エプロン分割体４０ａ（４０ｂ）は、側板４０６に取付金具９が取り付けられる。取付金具９は、複数の螺子通孔９０を有し、螺子通孔９０を貫通したタッピング用螺子５０が側板４０６に螺子孔を造形しながらねじ込まれるにより、側板４０６に取り付けられる（図１参照）。
【００５２】
そして、図１３に示すとおり、壁パネル８は、裏面に設けられた突片（図示せず、以下同じ）が取付金具９に矢印方向に嵌り込み、その状態で床パン１の起立片１２に載置されることにより、第１（第２）エプロン分割体４０ａ（４０ｂ）と連結する。また、他の壁パネル８は、浴槽２のフランジ２４に設けられた壁パネル受け用立上壁２４０又は床パン１の起立片１２に載置される。各壁パネル８は、載置された状態で、各部材との継ぎ目にシリコンコーキング剤が充填され、各部材との間の止水処理がなされる。
【００５３】
なお、図１及び図１３は、第２エプロン分割体４０ｂを示しているが、第１エプロン分割体４０ａについても、左右対称形状をしている以外は第２エプロン分割体４０ｂと同じであるから、対応する箇所に同一の符号を付してその説明を省略する。
【００５４】
図１４は図１に示す浴室ユニットが有する第１（第２）エプロン分割体４０ａ（４０ｂ）及び第３エプロン分割体４１の重畳部の取付構造を示す図であって、同図（ａ）は縦断面図を示し、同図（ｂ）はＸ−Ｘ線断面図を示し、図１５は図１４（ａ）に示す取付構造のＹ−Ｙ線断面図である。
【００５５】
第１（第２）エプロン分割体４０ａ（４０ｂ）と壁パネル８とが取り付けられた後、第３エプロン分割体４１が取り付けられる。第３エプロン４１は、上端を浴槽２側に僅かに傾けた状態で下から上に平行移動させることにより、フランジ係止部４１０が浴槽２のフランジ２４の下面２６に形成された溝に嵌り込む（図１１参照）。
【００５６】
同時に、第３エプロン分割体４１は、図１４乃至図１５に示すとおり、浴槽２側の分割体本体裏面の横方向両側が重畳部となって、隣接する第１（第２）エプロン分割体４０ａ（４０ｂ）の横張出片４０１と重畳し、フック４１１がフック受け部４０２にそれぞれ嵌り込む。また、側板４１２が第１（第２）エプロン分割体４０ａ（４０ｂ）の段差面４０３に案内され、段差面４０３と横張出片４０１との間に形成された溝に嵌り込む。このとき、浴槽２側の分割体本体裏面に貼り付けられた弾性止水部材６は、対向する横張出片４０１からの圧力によって復元力を生じさせ、横張出片４０１との間を水密状態とする。
【００５７】
また、第３エプロン分割体４１は、フランジ係止部４１０がフランジ２４の下面２６に形成された溝に嵌め込まれた状態のまま、下端部が床パン１の堰部１４に螺子止めされることにより、取付固定される（図１２参照）。
【００５８】
なお、第３エプロン分割体４１のその他の取付構造は、上述する第１（第２）エプロン分割体４０ａ（４０ｂ）の取付構造と同一であるから、符号「４００」「４０４」「４０５」「４０７」「４０８」を対応する符号「４１０」「４１３」「４１４」「４１６」「４１８」に置き換えることにより、その説明を省略する。
【００５９】
上述する浴室ユニットは、以下の作用効果を奏する。従来のエプロンは、強度確保のため、繊維強化プラスチック（ＦＲＰ）で成型されているが、ＦＲＰは、アクリロニトリル・ブタジエン・スチレン共重合合成樹脂（ＡＢＳ樹脂）などと比較して量産性が低く、浴室ユニットの製造費用を高騰させている。しかし、上述するエプロン４は、入浴者の体重などによってフランジ２４が下方に撓んだ場合であっても、フランジ２４から荷重を受けることがないので、強度を考慮してＦＲＰで成型される必要はない。そこで、エプロン４の素材を、量産性がより高い素材（ＡＢＳ樹脂など）に置き換えることにより、製造費用を削減することができる。また、エプロン４の素材を、ＦＲＰよりも加工が容易な素材に置き換えることにより、意匠性の高い、複雑な形状への成型を容易にできる。
【００６０】
また、上述するエプロン４は、複数枚からなるので、一枚板のエプロンと比較して現場への搬入が容易となり、施工効率を高めることができる。また、第３エプロン分割体４１は、第１エプロン分割体４０ａと第２エプロン分割体４０ｂとに挟まれた位置に生じた開口から容易に取り外すことが出来るので、この開口を作業点検口として利用させ、支持脚１１、１２の高さ調整及び配管施工などの作業を簡便にする。特に、この開口が排水口１７及びこれに連なる排水管の配置箇所の近傍にあるので、排水管の点検作業を簡便にする。また、エプロン４は、目につきやすい箇所を螺子止めされていないので、見栄え良く取り付けられる。
【００６１】
また、上述する第１（第２）エプロン分割体４０ａ（４０ｂ）と第３エプロン分割体４１との重畳部は、横張出片４０１、フック受け部４０２、段差面４０３、フック４１１、及び側板４１２などが用いられることによって複雑にかみ合っているので、重畳部で湯水の浸水勢いを分散させることができ、ある程度の湯水の侵入を抑止することができる。
【００６２】
また、上述する固定ピース７は、引っ掛け片７０を用いて堰部１４に着脱可能に取り付けられているので、例えば、第３エプロン分割体４１の頻繁な着脱によって螺子通孔１５及びナット７２が消耗した場合には、新たな固定ピース７への交換が容易になされる。
【００６３】
なお、上述する実施の形態において、フック４１１が上向きに折れ曲がる鉤状をなしている一例を説明した。しかし、本発明は、かかる例に限定されるものでなく、上向き以外の方向に折れ曲がる鉤状をなし、フック受け部４０２は、それに対応する形状としてもよい。
【符号の説明】
【００６４】
１  床パン
１０  裏面
１１  支持脚
１２  起立片
１３  表面
１４  堰部
１５  螺子通孔
１６  螺子孔
１７  排水口
２  浴槽
２０  底部
２１  裏面
２２  支持脚
２３  周壁
２４  フランジ
２５  スカート部
２６  裏面
２７  リブ
２８  螺子通孔
２９  浴槽本体
３  支柱
３０  螺子通孔
３１  螺子孔
４  エプロン
４０ａ  第１エプロン分割体
４０ｂ  第２エプロン分割体
４００  フランジ係止部
４０１  横張出片
４０２  フック受け部
４０３  段差面
４０４  下張出片
４０５  螺子通孔
４０６  側板
４０７  膨出部
４０８  突起片
４０９  内張出板
４１  第３エプロン分割体
４１０  フランジ係止部
４１１  フック
４１２  側板
４１３  下張出片
４１４  螺子通孔
４１５  指掛け部
４１６  膨出部
４１７  補強用リブ
４１８  突起片
５  螺子
５０  タッピング用螺子
６  止水部材
６０  凹部
７  固定ピース
７０  引っ掛け片
７１  パッキン
７２  ナット
８  壁パネル
９  取付金具
９０  螺子通孔
【図１】
0005492478.tif 000002
【図２】
0005492478.tif 000003
【図３】
0005492478.tif 000004
【図４】
0005492478.tif 000005
【図５】
0005492478.tif 000006
【図６】
0005492478.tif 000007
【図７】
0005492478.tif 000008
【図８】
0005492478.tif 000009
【図９】
0005492478.tif 000010
【図１０】
0005492478.tif 000011
【図１１】
0005492478.tif 000012
【図１２】
0005492478.tif 000013
【図１３】
0005492478.tif 000014
【図１４】
0005492478.tif 000015
【図１５】
0005492478.tif 000016